(57)【特許請求の範囲】
【請求項１】
パンツ前側においてウエストラインの下側から股ぐり方向に設けられた前開き部と、
この前開き部の右前布の持出しに取り付けられた右側のファスナテープと、
前記前開き部の左前布の見返しに取り付けられた左側のファスナテープと、
上端が開き下端が閉じた状態で、前記右側及び左側のファスナテープの互いに対向する縁部に取り付けられた務歯と、
この務歯の所定の中間位置よりも上側に設けられ、この上側の務歯上を下方向に移動することにより前記務歯を開く上側のスライダと、
前記務歯の所定の中間位置よりも下側に設けられ、この下側の務歯上を下方向に移動することにより前記務歯を開く下側のスライダと、
前記務歯の所定の中間位置に固定させて設けられ、この中間位置で前記上側及び下側のスライダの移動を停止させる中間スライダ止め具と、
を具備することを特徴とするスライドファスナを用いたパンツ。
【請求項２】
パンツ前側においてウエストラインの下側から股ぐり方向に設けられた前開き部と、
この前開き部の右前布の持出しに取り付けられた右側のファスナテープと、
前記前開き部の左前布の見返しに取り付けられた左側のファスナテープと、
上端が開き下端が閉じた状態で、前記右側及び左側のファスナテープの互いに対向する縁部に取り付けられた務歯と、
この務歯の所定の中間位置よりも上側に設けられ、この上側の務歯上を下方向に移動することにより前記務歯を開く上側のスライダと、
前記務歯の所定の中間位置よりも下側に設けられ、この下側の務歯上を下方向に移動することにより前記務歯を閉じる下側のスライダと、
前記務歯の所定の中間位置に固定させて設けられ、この中間位置で前記上側及び下側のスライダの移動を停止させる中間スライダ止め具と、
を具備することを特徴とするスライドファスナを用いたパンツ。
【請求項３】
パンツ前側においてウエストラインの下側から股ぐり方向に設けられた前開き部と、
この前開き部の右前布の持出しに取り付けられた右側のファスナテープと、
前記前開き部の左前布の見返しに取り付けられた左側のファスナテープと、
上端が開き下端が閉じた状態で、前記右側及び左側のファスナテープの互いに対向する縁部に取り付けられた務歯と、
前記務歯の中間のスライダよりも上側に設けられ、この上側の務歯上を下方向に移動することにより前記務歯を開く又は閉じると共に、引き手を有する上側のスライダと、
前記務歯の中間のスライダよりも下側に設けられ、この下側の務歯上を下方向に移動することにより前記務歯を開く又は閉じると共に、引き手を有する下側スライダと、
前記務歯に設けられ、この務歯上を上方向に移動することにより前記務歯を開く又は閉じると共に、前記務歯に対する移動抵抗を前記上側のスライダ及び下側のスライダに比して大きく設定した中間ストッパとなる引き手を有さない中間のスライダと、
を具備することを特徴とするスライドファスナも用いたパンツ。
【請求項４】
前記前開き部の持出しと見返りとを前記中間スライダ止め具の右側位置で縫い合わせたことを特徴とする請求項１又は２に記載のスライドファスナを用いたパンツ。
【請求項５】
前記前開き部は、股ぐり方向に向けて後ろ布との縫合部近傍に達する位置まで設けられ、これに応じて上記スライドファスナも後ろ布との縫合部近傍まで延出して設けられていることを特徴とする請求項１乃至４の何れか１つに記載のスライドファスナを用いたパンツ。
【請求項６】
右側ファスナテープ及び左側ファスナテープと、この左右のファスナテープの互いに対向する縁部に取り付けられた務歯と、
前記務歯の中間スライダに対し上側に設けられ、この上側の務歯上を下方向に移動することにより前記務歯を開く又は閉じると共に、引き手を有する上側のスライダと、
前記務歯の中間スライダに対し下側に設けられ、この下側の務歯上を下方向に移動することにより前記務歯を開く又は閉じると共に、引き手を有する下側のスライダと、
前記務歯に設けられ、この務歯上を上方又は下方に移動することにより、前記務歯を開く又は閉じると共に、前記務歯に対する移動抵抗を前記上側のスライダ及び下側のスライダに比して大きく設定した中間ストッパとなる引き手を有さない中間スライドと、
を備えたことを特徴とするスライドファスナ。
【請求項７】
右側ファスナテープ及び左側ファスナテープと、この左右のファスナテープの互いに対向する縁部に取り付けられた務歯と、
前記務歯に固定して設けられて上側及び下側のスライダの移動を停止させる中間スライダ止め具と、
前記務歯の前記中間スライダ止め具に対し上側に設けられ、この上側の務歯上を下方向に移動することにより前記務歯を開く又は閉じる上側のスライダと、
前記務歯の前記中間スライダ止め具に対し下側に設けられ、この下側の務歯上を下方向に移動することにより前記務歯を開く又は閉じる下側のスライダと、
を備えたことを特徴とするスライドファスナ。
【発明の詳細な説明】
【０００１】
【発明の属する技術分野】
本発明は、スライドファスナを用いたパンツ、より詳しくは、務歯上を移動可能な上側及び下側のスライダを有するスライドファスナを用いたパンツ、及びスライドファスナに関する。
【０００２】
【従来の技術】
従来より一般に市販されているスラックスやジーンズやショートパンツなどのパンツは、パンツ前側においてウエストラインの下側から股ぐりの方向に設けられた前開き部に、務歯上を移動可能な単一のスライダを有するスライドファスナが取り付けられていて、スライダを上方から下方に移動させることにより前開き部を開口させ、スライダを下方から上方に移動させることにより前開き部を再び閉口させるようになっている。
【０００３】
そして、このスライドファスナにより開口可能となる前開き部の範囲は、ウエストラインの下側となる位置から股ぐりのやや上側となる位置までである。
【０００４】
しかしながら、上述のような従来のパンツでは、男性が小用を足す場合には前開き部の中程から下側のみを開口すれば足りるにも関わらず、その構成上、スライダを移動させて全部を開口する動作を行わなければならないために、前開き部の上部を開口させる動作が無駄になっていた。
【０００５】
また、小用を足す場合のみならずパンツの着脱を行う際にも、同一のスライダによりスライド動作を行っていたために、スライダと務歯の噛合に多くの負荷がかかってしまい、スライドファスナの破損を招くことがあった。
【０００６】
さらに、老人が従来のパンツを着用する場合には、前開き部が股ぐりのやや上側となる位置までしか設けられていないために、位置が高すぎて小用を足すのに不便を来す場合があった。
【０００７】
このことに対応して、特開平０９−２７３００９号公報に記載の本件出願人による双方向スライドファスナを用いたパンツでは、務歯上を移動可能な上下二つのスライダを有するスライドファスナを用い、男性が小用を足す場合には、下側のスライダを移動させて前開き部の中程から下側のみを開口することにより、前開き部の上部を無駄に開口させる動作が不要としている。
【０００８】
【発明が解決しようとする課題】
しかしながら、上述のような従来の双方向スライドファスナを用いたパンツでは、着用している人が下側のスライダを操作できることに気付かず、下側のスライダによる機能を利用できない場合が多々あった。また、前開き部を閉じる場合において、下側のスライダを上側のスライダと間違えて上側に操作すると、前開き部が全開となり、相手に不快な印象を与える場合が多々あった。
【０００９】
本発明は、上記事情に鑑みてなされたもので、上側のスライダを中間スライダ止め具に接触する位置までしか下げることができないので、パンツを着用している人に下側のスライダが操作できることを容易に理解させることができ、前開き部の上部を無駄に開口させる動作を不要にするなど、下側のスライダによる機能を確実に利用させて操作性を向上でき、また誤って上側、下側のスライダを操作してパンツの前開き部の上下両側を開いた場合にも、中間スライダ止め具により務歯の上下の分割位置が閉じた状態となるため、前開き部があまり左右に広がらず、外部から目立たなくすることができ、また上側のスライダ及び下側のスライダの移動を停止させる中間ストッパとなる中間スライダの位置を調整することが可能で、好みの位置で上側のスライダ及び下側のスライダの移動範囲を調整することができるようにしたスライドファスナを用いたパンツ、及びスライドファスナを提供することを目的とする。
【００１０】
【課題を解決するための手段】
本発明の一態様によるスライドファスナを用いたパンツは、パンツ前側においてウエストラインの下側から股ぐり方向に設けられた前開き部と、
この前開き部の右前布の持出しに取り付けられた右側のファスナテープと、
前記前開き部の左前布の見返しに取り付けられた左側のファスナテープと、
上端が開き下端が閉じた状態で、前記右側及び左側のファスナテープの互いに対向する縁部に取り付けられた務歯と、
この務歯の所定の中間位置よりも上側に設けられ、この上側の務歯上を下方向に移動することにより前記務歯を開く上側のスライダと、
前記務歯の所定の中間位置よりも下側に設けられ、この下側の務歯上を下方向に移動することにより前記務歯を開く下側のスライダと、
前記務歯の所定の中間位置に固定させて設けられ、この中間位置で前記上側及び下側のスライダの移動を停止させる中間スライダ止め具と、
を具備している。
【００１１】
本発明の他の態様によるスライドファスナを用いたパンツは、パンツ前側においてウエストラインの下側から股ぐり方向に設けられた前開き部と、
この前開き部の右前布の持出しに取り付けられた右側のファスナテープと、
前記前開き部の左前布の見返しに取り付けられた左側のファスナテープと、
上端が開き下端が閉じた状態で、前記右側及び左側のファスナテープの互いに対向する縁部に取り付けられた務歯と、
この務歯の所定の中間位置よりも上側に設けられ、この上側の務歯上を下方向に移動することにより前記務歯を開く上側のスライダと、
前記務歯の所定の中間位置よりも下側に設けられ、この下側の務歯上を下方向に移動することにより前記務歯を閉じる下側のスライダと、
前記務歯の所定の中間位置に固定させて設けられ、この中間位置で前記上側及び下側のスライダの移動を停止させる中間スライダ止め具と、
を具備している。
【００１２】
本発明のさらに他の態様によるスライドファスナを用いたパンツは、パンツ前側においてウエストラインの下側から股ぐり方向に設けられた前開き部と、
この前開き部の右前布の持出しに取り付けられた右側のファスナテープと、
前記前開き部の左前布の見返しに取り付けられた左側のファスナテープと、
上端が開き下端が閉じた状態で、前記右側及び左側のファスナテープの互いに対向する縁部に取り付けられた務歯と、
前記務歯の中間のスライダよりも上側に設けられ、この上側の務歯上を下方向に移動することにより前記務歯を開く又は閉じると共に、引き手を有する上側のスライダと、
前記務歯の中間のスライダよりも下側に設けられ、この下側の務歯上を下方向に移動することにより前記務歯を開く又は閉じると共に、引き手を有する下側スライダと、
前記務歯に設けられ、この務歯上を上方向に移動することにより前記務歯を開く又は閉じると共に、前記務歯に対する移動抵抗を前記上側のスライダ及び下側のスライダに比して大きく設定した中間ストッパとなる引き手を有さない中間のスライダと、
を具備している。
【００１３】
本発明の一態様によるスライドファスナは、  右側ファスナテープ及び左側ファスナテープと、この左右のファスナテープの互いに対向する縁部に取り付けられた務歯と、
前記務歯の中間スライダに対し上側に設けられ、この上側の務歯上を下方向に移動することにより前記務歯を開く又は閉じると共に、引き手を有する上側のスライダと、
前記務歯の中間スライダに対し下側に設けられ、この下側の務歯上を下方向に移動することにより前記務歯を開く又は閉じると共に、引き手を有する下側のスライダと、
前記務歯に設けられ、この務歯上を上方又は下方に移動することにより、前記務歯を開く又は閉じると共に、前記務歯に対する移動抵抗を前記上側のスライダ及び下側のスライダに比して大きく設定した中間ストッパとなる引き手を有さない中間スライドと、
を備えている。
【００１４】
本発明の他の態様によるスライドファスナは、右側ファスナテープ及び左側ファスナテープと、この左右のファスナテープの互いに対向する縁部に取り付けられた務歯と、
前記務歯に固定して設けられて上側及び下側のスライダの移動を停止させる中間スライダ止め具と、
前記務歯の前記中間スライダ止め具に対し上側に設けられ、この上側の務歯上を下方向に移動することにより前記務歯を開く又は閉じる上側のスライダと、
前記務歯の前記中間スライダ止め具に対し下側に設けられ、この下側の務歯上を下方向に移動することにより前記務歯を開く又は閉じる下側のスライダと、
を備えている。
【００１５】
【発明の実施の形態】
以下、図面を参照して本発明の実施の形態を説明する。
図１から図６は本発明の第１の実施形態を示したものであり、図１はパンツを示す正面図、図２はパンツの前開き部近傍を示す拡大正面図、図３は上記図２のパンツの前開き部近傍を裏面側から示す図、図４はパンツを示す拡大縦断面図、図５はスライドファスナを示す正面図、図６は下側のスライダを上げて開口させた状態のパンツの前開き部近傍を示す拡大正面図である。
【００１６】
なお、ここで述べるパンツは、スラックス、ズボン、トラウザーズ、パンタロン、ジーンズ、ショートパンツ、ニッカボッカーズ、スキーパンツ、オーバーオール、ジャンプスーツ等を含む広い概念のものである。
【００１７】
第１の実施形態のパンツ１は、例えば図１から図６に図示のように、右前布２、左前布３、右後ろ布４、左後ろ布５の各布を互いに縫合し、ベルト６、ポケット７等を取り付けてなる。
【００１８】
このとき、上記右前布２、左前布３、右後ろ布４、左後ろ布５の４つの布が互いに寄り集まって縫合される部分が股ぐり８となっており、この股ぐり８から前側上部に向かって、右前布２と左前布３が互いに対向する部分が前開き部９となっている。
【００１９】
この前開き部９は、あき止まりがほぼ股ぐり８の付近になるように、すなわち後ろ布４，５との縫合部近傍まで延長して設けられており、通常のパンツに比して、股ぐり８方向の長さが長く、同方向へ十分に開口することができるようになっている。
【００２０】
この前開き部９においては、右前布２に持出し１１が、左前布３に見返し１２がそれぞれ取り付けられ、これら持出し１１と見返し１２にスライドファスナ１３が取り付けられる。
【００２１】
すなわち、パンツ専用のカーブした形状のスライドファスナ１３が、上の止め金具２３（図５参照）がウエスト出来上りからやや下（例えば１ｃｍ下）になるように、また、下の止め金具２４があき止まりからやや上（例えば０．５ｃｍ上）になるように、ファスナテープ２１（図５参照）と右前布２端の裁ち目を中表に合わせて縫合されている。
【００２２】
上記スライドファスナ１３は、図５に示すように、ファスナテープ２１と、この左右のファスナテープ２１の互いに対向する縁部に上端が開き下端が閉じた状態で固定された務歯２２と、この務歯２２上の所定の中間位置よりも上側及び下側に設けられた上側及び下側のスライダ３１，３２と、このスライダ３１，３２の移動範囲を規定する止め金具２３，３３，２４とを有してなり、このスライドファスナ１３は、スライダ３１と中間の止め金具３３の間に位置する務歯２２が互いに係合して閉口しており、スライダ３１より上側に位置する務歯２２は互いの係合が解除されて開口するようになっている。また、スライドファスナ１３は、下側の止め金具２４とスライダ３２の間に位置する務歯２２が互いに係合して閉口しており、中間の止め金具３３とスライダ３２の間に位置する務歯２２は互いの係合が解除されて開口するようになっている。上側のスライダ３１は、上側の務歯２２上を下方向に移動することにより前記務歯を開き、下側のスライダ３３は、下側の務歯２２上を下方向に移動することにより前記務歯を開く。
【００２３】
止め金具３３は、務歯２２の所定の中間位置（例えば、止め金具２４から上へ１２ｃｍの位置）に設けられ、この分割位置で前記上側及び下側のスライダ３１，３２の移動を停止させるスライダ止め具となっている。
【００２４】
すなわち、前開き部９の上側が閉口している状態では、上側のスライダ３１が中間の止め金具３３近傍に達し、前開き部９の下側が閉口している状態では、下側のスライダ３２が下側の止め金具２４近傍に達している。
【００２５】
また、スライドファスナ１３が取り付けられている部分のやや上には、ベルト６上にホック１４が取り付けられている。
【００２６】
次に、このような実施形態のパンツ１を使用する方法について説明する。
上述のようなパンツ１を着用する場合には、ホック１４を外して上側のスライダ３１を適当な位置（必ずしも中間の止め金具３３に接触するまで下げる必要はない）まで下げてから、片足ずつ両足を挿通してウエストの所定位置まで持ち上げ、その後に、ホック１４を係止して該上側のスライダ３１を上の止め金具２３により上方への移動が規制される位置まで上げれば良い。
【００２７】
また、男性が小用を足す場合には、下側のスライダ３２を適当な位置（必ずしも下の止め金具２４に接触するまで下げる必要はない）まで下げて用を足し、その後、該下側のスライダ３２を中間の止め金具３３により上方への移動が規制される位置まで上げれば良い。
【００２８】
このような実施形態によれば、上側のスライダ３１を中間の止め金具３３に接触する位置までしか下げることができないので、着用している人に下側のスライダ３２を操作できることを容易に理解させることができ、前開き部９の上部を無駄に開口させる動作を不要にする等の下側のスライダによる機能を確実に利用させて操作性を向上することができる。また、誤ってスライダ３１，３２を操作して前開き部９の上下両側を開いた場合にも、中間の止め金具３３により務歯２２の上下の分割位置が閉じた状態となるので、前開き部９があまり左右に広がらず、該前開き部９が開いたことを外部から目立たなくすることができる。
【００２９】
図７から図８は本発明の第２の実施形態を示したものであり、図７はパンツの前開き部近傍を示す拡大正面図、図８はスライドファスナ及びその近傍を示す正面図である。図７から図８では、図１乃至図６に示した第１の実施形態と同様の構成要素には同じ符号を付して説明を省略している。
【００３０】
第２の実施形態のパンツ４１は、図８から図９の図示のように、前記スライドファスナ１３の右側のテープ２１を前記前開き部９の右前布２の持出し１１に取り付け、前記スライドファスナ１３の左側のテープ２１を前記前開き部９の左前布３の見返し１２に取り付け、前記前開き部９の持出し１１と見返し１２とを前記止め金具３３の右側の位置で縫い目４２により縫い合わせている。
【００３１】
この状態で上側のスライダ３１が中間の止め金具３３近傍に達した場合、スライダ３１の引き手３４が上側に向くことになる。また、下側のスライダ３２が中間の止め金具３３近傍に達した場合、スライダ３２は、見返し１２によって確実に隠すことができる。
【００３２】
図９から図１１は本発明の第３の実施形態を示したものであり、図９はパンツの前開き部近傍を示す拡大正面図、図１０はスライドファスナを示す正面図、図１１は下側のスライダを上げて開口させた状態のパンツの前開き部近傍を示す拡大正面図である。図９から図１１では、図１乃至図６に示した第１の実施形態と同様の構成要素には同じ符号を付して説明を省略している。
【００３３】
第３の実施形態のパンツ５１のスライドファスナ５３は、図９から図１１に図示のように、ファスナテープ２１と、務歯２２と、務歯２２上を移動する上側及び下側のスライダ６１，６２と、このスライダ６１，６２の移動範囲を規定する止め金具２３，６３，２４とを有してなり、このスライドファスナ５３は、２つのスライダ６１，６２の間に位置する務歯２２が互いに係合して閉口しており、２つのスライダ６１，６２の外側に位置する務歯２２は互いの係合が解除されて開口するようになっている。止め金具６３は、スライドファスナの務歯２２の所定の中間位置に設けられ、この中間位置で前記上側及び下側のスライダ６１，６２の移動を停止させるスライダ止め具となっている。
【００３４】
すなわち、前開き部９の上側が閉口している状態では、上側のスライダ６１が中間の止め金具６３近傍に達し、前開き部９の下側が閉口している状態では、下側のスライダ６２が下側の止め金具２４近傍に達している。
【００３５】
このような実施形態によれば、図１乃至図６に示した第１の実施形態と同様の効果が得られるとともに、前開き部９の下側を閉口する場合に下側のスライダ６２を下げるので、図１乃至図６に示した第１の実施形態に比べてスライダ６２を目立たなくすることができる。
【００３６】
図１２から図１５は本発明の第４の実施形態を示したものであり、図１２はパンツの前開き部近傍を示す拡大正面図、図１３はスライドファスナを示す正面図、図１４は中間のスライダを上側に移動させた場合の状態を示す説明図、図１５は中間のスライダを下側に移動させた場合の状態を示す説明図である。図１２から図１５では、図１乃至図６に示した第１の実施形態と同様の構成要素には同じ符号を付して説明を省略している。
【００３７】
第４の実施形態のパンツ７１のスライドファスナ７３は、図１２から図１５に図示のように、ファスナテープ２１と、務歯２２と、務歯２２上を移動する上側、中間及び下側のスライダ３１，８３，３２と、このスライダ３１，８３，３２の移動範囲を規定する止め金具２３，２４とを有してなり、このスライドファスナ７３は、スライダ３１と中間のスライダ８３の間に位置する務歯２２が互いに係合して閉口しており、スライダ３１より上側に位置する務歯２２は互いの係合が解除されて開口するようになっている。また、スライドファスナ７３は、下側の止め金具２４とスライダ３２の間に位置する務歯２２が互いに係合して閉口しており、中間のスライダ８３とスライダ３２の間に位置する務歯２２は互いの係合が解除されて開口するようになっている。上側のスライダ３１は、務歯２２上を下方向に移動することにより前記務歯を開き、中間のスライダ８３は、務歯２２上を上方向に移動することにより前記務歯を開き、下側のスライダ３３は、務歯２２上を下方向に移動することにより前記務歯を開く。
【００３８】
第４の実施形態のスライドファスナ７３の場合は、図１乃至図６に示した第１の実施形態のスライダ止め具の代わりに中間のスライダ８３を務歯２２に設け、スライダ３１を前記務歯の中間のスライダ８３よりも上側に設け、スライダ３２を前記務歯の中間のスライダ８３よりも下側に設けている。このスライダ８３は、スライダ３１，３２のように頻繁に操作するわけではないので、引き手を設けずフラットな形状になっている。務歯２２に対する中間のスライダ８３の抵抗は、かしめ等の方法によりスライダ３１，３２よりも大きく設定している。
【００３９】
スライドファスナ７３は、図１４に示すように、中間のスライダ８３を上側に移動させると、中間のスライダ８３とスライダ３２の間を大きく開くことが可能になる。また、スライドファスナ７３は、図１５に示すように、中間のスライダ８３を下側に移動させると、スライダ３１の上側を大きく開くことが可能になる。図１５に示す調整を行うことで、ウエストが大きい人でもパンツ７１を容易に着用できる。
【００４０】
このような実施形態によれば、務歯２２に対する中間のスライダ８３の抵抗を大きく設定することにより、中間のスライダ８３に図１乃至図６に示した止め金具３３と同様の機能を持たせることができるので、図１乃至図６に示した第１の実施形態と同様の効果が得られるとともに、中間のスライダ８３の位置を調整することにより、スライダ３１，３２の操作により前開き部９がそれぞれ開く範囲の調整を行え、操作性が向上するとともにユーザーの体型や好みに合った調整が可能になる。
【００４１】
尚、図１乃至図１１に示した実施形態では、スライドファスナの務歯を前記上側及び下側に分割する分割位置に設けるスライダ止め具として、止め金具３３，６３を用いたが、前記スライダ止め具としては、金属製以外にも、ビニール製のものや、糸による縫付け等、各種適用できる。
【００４２】
【発明の効果】
以上説明したように本発明によれば、上側のスライダを中間スライダ止め具に接触する位置までしか下げることができないので、パンツを着用している人に下側のスライダが操作できることを容易に理解させることができ、前開き部の上部を無駄に開口させる動作を不要にするなど、下側のスライダによる機能を確実に利用させて操作性を向上でき、また誤って上側、下側のスライダを操作してパンツの前開き部の上下両側を開いた場合にも、中間スライダ止め具により務歯の上下の分割位置が閉じた状態となるため、前開き部があまり左右に広がらず、外部から目立たなくすることができ、また上側のスライダ及び下側のスライダの移動を停止させる中間ストッパとなる中間スライダの位置を調整することが可能で、好みの位置で上側のスライダ及び下側のスライダの移動範囲を調整することができる効果を有する。
【図面の簡単な説明】
【図１】本発明の第１の実施形態のパンツを示す正面図。
【図２】上記第１の実施形態のパンツの前開き部近傍を示す拡大正面図。
【図３】上記図２のパンツの前開き部近傍を裏面側から示す図。
【図４】上記第１の実施形態のパンツを示す拡大縦断面図。
【図５】上記第１の実施形態のスライドファスナを示す正面図。
【図６】上記第１の実施形態において、下側のスライダを上げて開口させた状態のパンツの前開き部近傍を示す拡大正面図。
【図７】本発明の第２の実施形態のパンツの前開き部近傍を示す拡大正面図。
【図８】上記第２の実施形態のスライドファスナを示す正面図。
【図９】本発明の第３の実施形態のパンツの前開き部近傍を示す拡大正面図。
【図１０】上記第３の実施形態のスライドファスナを示す正面図。
【図１１】上記第３の実施形態において、下側のスライダを上げて開口させた状態のパンツの前開き部近傍を示す拡大正面図。
【図１２】本発明の第４の実施形態のパンツの前開き部近傍を示す拡大正面図。
【図１３】上記第４の実施形態のスライドファスナを示す正面図。
【図１４】上記第４の実施形態の中間のスライダを上側に移動させた場合の状態を示す説明図。
【図１５】上記第４の実施形態の中間のスライダを下側に移動させた場合の状態を示す説明図。
【符号の説明】
１…パンツ
２…右前布
３…左前布
４…右後ろ布
５…左後ろ布
８…股ぐり
９…前開き部
１３…スライドファスナ
２２…務歯
３１，３２…スライダ
３３…止め金具
【図１】
0004101448.tif 000002
【図２】
0004101448.tif 000003
【図３】
0004101448.tif 000004
【図４】
0004101448.tif 000005
【図５】
0004101448.tif 000006
【図６】
0004101448.tif 000007
【図７】
0004101448.tif 000008
【図８】
0004101448.tif 000009
【図９】
0004101448.tif 000010
【図１０】
0004101448.tif 000011
【図１１】
0004101448.tif 000012
【図１２】
0004101448.tif 000013
【図１３】
0004101448.tif 000014
【図１４】
0004101448.tif 000015
【図１５】
0004101448.tif 000016